(57)【要約】【課題】スタンバイモードにおける装置としての消費電力を低減する。【解決手段】スタンバイモードとなるときには主要回路部１への第１の動作電源３１の供給が停止される構成において、スタンバイモードとなるときには、第２の動作電源３２の電圧を、動作モードにおける電圧より低い電圧であって、マイクロコンピュータ２の動作電源の電圧許容範囲の下限近傍の電圧まで低下させている。【選択図】  図１
2005158183.tif 000002
【特許請求の範囲】
【請求項１】
動作モードとなるときには、光ディスクを再生するとともに再生して得られた映像信号と音声信号とを出力するディスク再生部と、
商用電源が供給された状態における電源オフ状態であるスタンバイモードにおいて動作モードへの移行を指示されたときにはスタンバイモードから動作モードへの移行の制御を行うとともに、動作モードにおいてはディスク再生部の動作を制御するマイクロコンピュータと、
リモートコントローラから送信される赤外線信号を受光するとともに、受光した赤外線信号により示されるデータをマイクロコンピュータに出力する受光ユニットと、
商用電源に基づいて、ディスク再生部の動作電源となる第１の動作電源とマイクロコンピュータおよび受光ユニットの動作電源となる第２の動作電源とを生成するスイッチング電源とを備え、
スタンバイモードとなるときにはディスク再生部への第１の動作電源の供給が停止されるディスク再生装置において、
スタンバイモードとなるときには、第２の動作電源の電圧を、動作モードにおける電圧より低い電圧であって、マイクロコンピュータの動作電源の電圧許容範囲と受光ユニットの動作電源の電圧許容範囲との共通範囲の下限近傍の電圧まで低下させることを特徴とするディスク再生装置。
【請求項２】
一次側電源に基づいて第１の動作電源と第２の動作電源とを生成するスイッチング電源と、
第１の動作電源を動作電源とし、動作モードとなるときには所定の動作を行う主要回路部と、
第２の動作電源を動作電源とし、一次側電源が供給された状態における電源オフ状態であるスタンバイモードにおいて動作モードへの移行を指示されたときにはスタンバイモードから動作モードへの移行の制御を行うとともに、動作モードにおいては主要回路部の動作を制御するマイクロコンピュータとを備え、
スタンバイモードとなるときには主要回路部への第１の動作電源の供給が停止される電子装置において、
スタンバイモードとなるときには、第２の動作電源の電圧を、動作モードにおける電圧より低い電圧であって、マイクロコンピュータの動作電源の電圧許容範囲の下限近傍の電圧まで低下させることを特徴とする電子装置。
【請求項３】
リモートコントローラから送信される赤外線信号を受光するとともに、受光した赤外線信号により示されるデータをマイクロコンピュータに出力する受光ユニットを備え、
マイクロコンピュータは、スタンバイモードにおいて受光ユニットから出力されるデータが動作モードへの移行を示すときには主要回路部への第１の動作電源の供給を開始させる請求項２に記載の電子装置において、
受光ユニットには動作電源として第２の動作電源が供給され、
スタンバイモードとなるときには、第２の動作電源の電圧を、マイクロコンピュータの電圧許容範囲と受光ユニットの電圧許容範囲との共通範囲の下限近傍まで低下させることを特徴とする電子装置。
【発明の詳細な説明】
【技術分野】
【０００１】
本発明は、スタンバイモードとなるときには、制御用のマイクロコンピュータに供給される動作電源の電圧を、動作モード時より低くするディスク再生装置および電子装置に関するものである。
【背景技術】
【０００２】
ＤＶＤ再生装置等の民生用の機器においては、電源オフ状態であるスタンバイモードとなるときにも、リモートコントローラや前面パネルからの電源オンの指示の受け付けが可能なように構成されている。その一方で、スタンバイモードにおける消費電力を少なくすることが求められている。このため、従来では、スタンバイモードとなる場合、制御用のマイクロコンピュータには動作電源を供給するが、その他の主要回路部への動作電源の供給を停止することによって、スタンバイモード時の消費電力を少なくしている（第１の従来技術とする）。
【０００３】
また、以下に示す技術が提案されている（第２の従来技術とする）。すなわち、この技術においては、２つの一次コイルと２つの二次コイルとが巻回されたトランスを設けている。また、２つの二次コイルの一方の整流平滑出力をマイクロコンピュータの動作電源とし、二次コイルの他方の整流平滑出力を主要回路部の動作電源としている。そして、スタンバイモードとなるときには、一次コイルの一方の側にのみ商用電源を供給し、一次コイルの他方の側への商用電源の供給を停止している。また、主要回路部への動作電源の供給経路を遮断している。従って、スタンバイモードとなって二次側の消費電力が少なくなるときにも、トランスの変換効率の低下が防止され、スタンバイモードにおける消費電力が低減されるようになっている（例えば、特許文献１参照）。
【０００４】
また、以下に示す技術が提案されている（第３の従来技術とする）。すなわち、この技術においては、一次コイルにタップが形成されたトランスを設けている。そして、動作モードとなるときには、商用電源の一方の経路を前記したタップに接続し、スタンバイモードとなるときには、前記一方の経路を一次コイルの端部端子の側に切り換え接続するようになっている。つまり、スタンバイモードにおける一次コイルの巻回数が、動作モードにおける一次コイルの巻回数より多くなるようにしている。このため、スタンバイモード時に二次コイルに発生する電圧は、動作モード時に二次コイルに発生する電圧より低くなる。その結果、二次コイルの出力を整流平滑して得られた直流出力を動作電源とする主要回路部のスタンバイモード時の消費電力は、動作モードとなるときの消費電力より低減されることになる。また、制御用のマイクロコンピュータのための動作電源を生成する定電圧回路の消費電力も、スタンバイモードとなるときには、動作モード時よりも低減されることになる（例えば、特許文献２参照）。
【特許文献１】特開２０００−１４００５号公報
【特許文献２】特開２０００−１２５４６８号公報
【発明の開示】
【発明が解決しようとする課題】
【０００５】
しかしながら、第１の従来技術を用いる場合にも、以下に示す問題を生じていた。すなわち、スタンバイモードとなるときの消費電力については、さらに低減を求める動きがある。しかし、スタンバイモードとなるときに、主要回路部への動作電源の供給を停止するのみでは、マイクロコンピュータの消費電力がネックとなって、さらなる低減への対応が困難となっている。
【０００６】
また、第２の従来技術は、トランスの変換効率を改善することによって、スタンバイモードにおける消費電力を少なくする技術となっているので、スイッチング電源を用いた装置の場合には、適用することが困難な技術となっている。
【０００７】
また第３の従来技術は、スタンバイモードとなる場合に、二次コイルに発生する電圧を低下させることによって、負荷となる主要回路部の消費電力を低減する技術となっている。また、併せて、マイクロコンピュータ用の動作電源を生成する定電圧回路の消費電力（マイクロコンピュータ用の電源回路の消費電力）をも低減している。しかし、マイクロコンピュータそのものが消費する電力については、スタンバイモードとなるときにも、動作モード時と同じ電力を消費する構成となっているので、第１の従来技術において生じた問題を解決しようとする場合には、適用することが困難な技術となっている。
【０００８】
本発明は、上記の問題点を解決するため創案されたものであり、その目的は、スタンバイモードとなるときには、リモートコントローラからの赤外線信号を受光する受光ユニットとマイクロコンピュータとに供給される動作電源の電圧を、動作モード時の電圧より低い電圧とすることにより、スタンバイモードにおける装置としての消費電力を、高い比率でもって低減することのできるディスク再生装置を提供することにある。
【０００９】
また本発明の目的は、スタンバイモードとなるときには、マイクロコンピュータに供給される動作電源の電圧を、動作モード時の電圧より低くして、スタンバイモードにおけるマイクロコンピュータの消費電力を少なくすることにより、スタンバイモードにおける装置としての消費電力を低減することのできる電子装置を提供することにある。
【００１０】
また、上記目的に加え、リモートコントローラからの赤外線信号を受光する受光ユニットに供給される電圧を、動作モード時の電圧より低くして、スタンバイモードにおける受光ユニットの消費電力を少なくすることにより、スタンバイモードにおける装置としての消費電力を、より低減することのできる電子装置を提供することにある。
【課題を解決するための手段】
【００１１】
上記の課題を解決するため、本発明に係るディスク再生装置は、動作モードとなるときには、光ディスクを再生するとともに再生して得られた映像信号と音声信号とを出力するディスク再生部と、商用電源が供給された状態における電源オフ状態であるスタンバイモードにおいて動作モードへの移行を指示されたときにはスタンバイモードから動作モードへの移行の制御を行うとともに、動作モードにおいてはディスク再生部の動作を制御するマイクロコンピュータと、リモートコントローラから送信される赤外線信号を受光するとともに、受光した赤外線信号により示されるデータをマイクロコンピュータに出力する受光ユニットと、商用電源に基づいて、ディスク再生部の動作電源となる第１の動作電源とマイクロコンピュータおよび受光ユニットの動作電源となる第２の動作電源とを生成するスイッチング電源とを備え、スタンバイモードとなるときにはディスク再生部への第１の動作電源の供給が停止されるディスク再生装置に適用している。そして、スタンバイモードとなるときには、第２の動作電源の電圧を、動作モードにおける電圧より低い電圧であって、マイクロコンピュータの動作電源の電圧許容範囲と受光ユニットの動作電源の電圧許容範囲との共通範囲の下限近傍の電圧まで低下させている。
【００１２】
すなわち、スタンバイモードにおけるマイクロコンピュータの消費電力と受光ユニットの消費電力とは、少なくとも、第２の動作電源の電圧が低下した比率に対応して減少する。従って、スタンバイモードにおける装置としての消費電力は、マイクロコンピュータの消費電力と受光ユニットの消費電力とが減少した分だけ、減少することになる。
【００１３】
また本発明に係る電子装置は、一次側電源に基づいて第１の動作電源と第２の動作電源とを生成するスイッチング電源と、第１の動作電源を動作電源とし、動作モードとなるときには所定の動作を行う主要回路部と、第２の動作電源を動作電源とし、一次側電源が供給された状態における電源オフ状態であるスタンバイモードにおいて動作モードへの移行を指示されたときにはスタンバイモードから動作モードへの移行の制御を行うとともに、動作モードにおいては主要回路部の動作を制御するマイクロコンピュータとを備え、スタンバイモードとなるときには主要回路部への第１の動作電源の供給が停止される電子装置に適用している。そして、スタンバイモードとなるときには、第２の動作電源の電圧を、動作モードにおける電圧より低い電圧であって、マイクロコンピュータの動作電源の電圧許容範囲の下限近傍の電圧まで低下させている。
【００１４】
すなわち、スタンバイモードにおけるマイクロコンピュータの消費電力は、少なくとも、第２の動作電源の電圧が低下した比率に対応して減少する。従って、スタンバイモードにおける装置としての消費電力が減少する。
【００１５】
また上記構成に加え、リモートコントローラから送信される赤外線信号を受光するとともに、受光した赤外線信号により示されるデータをマイクロコンピュータに出力する受光ユニットを備え、マイクロコンピュータは、スタンバイモードにおいて受光ユニットから出力されるデータが動作モードへの移行を示すときには主要回路部への第１の動作電源の供給を開始させる電子装置に適用している。そして、受光ユニットには動作電源として第２の動作電源を供給し、スタンバイモードとなるときには、第２の動作電源の電圧を、マイクロコンピュータの電圧許容範囲と受光ユニットの電圧許容範囲との共通範囲の下限近傍まで低下させている。
【００１６】
すなわち、スタンバイモードにおける受光ユニットの消費電力は、少なくとも、第２の動作電源の電圧が低下した比率に対応して減少する。従って、スタンバイモードにおける装置としての消費電力は、受光ユニットの消費電力が減少した分だけ、さらに、減少することになる。
【発明の効果】
【００１７】
本発明によれば、スタンバイモードとなるときには、マイクロコンピュータと受光ユニットとの動作電源である第２の動作電源の電圧を、動作モードにおける電圧より低い電圧であって、マイクロコンピュータの動作電源の電圧許容範囲と受光ユニットの動作電源の電圧許容範囲との共通範囲の下限近傍の電圧まで低下させている。このため、スタンバイモードにおけるマイクロコンピュータの消費電力と受光ユニットの消費電力とは、少なくとも、第２の動作電源の電圧が低下した比率に対応して減少する。従って、スタンバイモードにおける装置としての消費電力は、マイクロコンピュータの消費電力と受光ユニットの消費電力とが減少した分だけ減少するので、スタンバイモードにおける装置としての消費電力を、高い比率でもって低減することができる。
【００１８】
また本発明によれば、スタンバイモードとなるときには、マイクロコンピュータの動作電源となる第２の動作電源の電圧を、動作モードにおける電圧より低い電圧であって、マイクロコンピュータの動作電源の電圧許容範囲の下限近傍の電圧まで低下させている。このため、スタンバイモードにおけるマイクロコンピュータの消費電力は、少なくとも、第２の動作電源の電圧が低下した比率に対応して減少する。従って、スタンバイモードにおける装置としての消費電力が減少するので、スタンバイモードにおける装置としての消費電力を低減することができる。
【００１９】
またさらに、スタンバイモードとなるときには、受光ユニットにも供給されることになる第２の動作電源の電圧を、マイクロコンピュータの電圧許容範囲と受光ユニットの電圧許容範囲との共通範囲の下限近傍まで低下させている。このため、スタンバイモードにおける受光ユニットの消費電力は、少なくとも、第２の動作電源の電圧が低下した比率に対応して減少する。従って、スタンバイモードにおける装置としての消費電力は、受光ユニットの消費電力が減少した分だけ、さらに、減少することになるので、スタンバイモードにおける装置としての消費電力を、より低減することができる。
【発明を実施するための最良の形態】
【００２０】
以下、本発明の実施の形態について図を参照して説明する。
【実施例１】
【００２１】
図１は、本発明に係る電子装置の第１の実施形態であるディスク再生装置（具体的にはＤＶＤ再生装置）の電気的構成を示すブロック線図であり、大別すると、ディスク再生部１、マイクロコンピュータ２、スイッチング電源３、受光ユニット４、および、リモートコントローラ５を備えている。
【００２２】
図において、ディスク再生部（主要回路部）１は、ＤＶＤ再生装置としての所定の動作、すなわち、ＤＶＤ１１を再生するとともに、再生して得られたアナログ映像信号を映像端子２１に出力し、再生して得られたアナログ音声信号を音声端子２２に出力する。このため、ＤＶＤ１１を回転駆動するスピンドルモータ１２、回転駆動されるＤＶＤ１１に記録された信号を読み取るピックアップ１３、サーボ制御部１４、信号処理部１５、Ｄ／Ａ変換部１６、および、表示部１７を備えている。
【００２３】
サーボ制御部１４は、内部にＲＦ信号処理回路を備えており、ピックアップ１３の出力からフォーカスエラー信号とトラッキングエラー信号とを生成する。そして、生成したフォーカスエラー信号に基づいてピックアップ１３のフォーカシングをサーボ制御する。また、生成したトラッキングエラー信号に基づいてピックアップ１３のトラッキングをサーボ制御する。
【００２４】
また、ＲＦ信号を生成して信号処理部１５に出力する。また、信号処理部１５においてＲＦ信号より再生されたクロック信号に基づき、スピンドルモータ１２の回転速度をサーボ制御する。また、サーボ制御に関連するアナログ信号（フォーカスエラー信号やトラッキングエラー信号等）をマイクロコンピュータ２に出力する。
【００２５】
信号処理部１５は、サーボ制御部１４より出力されたＲＦ信号から、再生の基準となるクロック信号を生成するとともに、生成したクロック信号を用いて、ＲＦ信号からデジタルデータを取り出す。そして、取り出したデジタルデータを復調した後、エラー訂正することによって、データストリームを再生する。
【００２６】
次いで、データストリームのうちのプログラムストリームを伸長した後、Ｄ／Ａ変換することによってアナログ映像信号を再生し、映像端子２１に出力する。また、オーディオストリームを伸長して得られたデジタル音声信号をＤ／Ａ変換部１６に出力する。また、生成した基準となるクロック信号をサーボ制御部１４に出力する。また、ＤＶＤ１１の再生における各種の情報をマイクロコンピュータ２に出力する。
【００２７】
Ｄ／Ａ変換部１６は、信号処理部１５から出力されるデジタル音声信号をアナログ音声信号に変換して音声端子２２に出力する。表示部１７は、マイクロコンピュータ２から送出されるデータに従って、ＤＶＤ１１の再生位置を示す時刻情報やチャプタ情報等を表示する。
【００２８】
受光ユニット４は、リモートコントローラ５から送信される赤外線信号を受光するとともに、受光した赤外線信号により示されるデータをマイクロコンピュータ２に出力する。スイッチング電源３は、商用電源３０を一次側電源として、ディスク再生部１が必要とする第１の動作電源３１を生成し、出力する。また、マイクロコンピュータ２や受光ユニット４が必要とする第２の動作電源３２を生成し、出力する。
【００２９】
マイクロコンピュータ２は、ＤＶＤ再生装置としての主要動作を制御する。すなわち、ディスク再生部１におけるサーボ制御部１４を制御することによって、ピックアップ１３を所定位置に移動させる。また、信号処理部１５より出力される各種の情報に基づいて、信号処理部１５の動作を制御する。また、表示部１７に表示用のデータを出力する。
【００３０】
以下に、第１の動作電源３１と第２の動作電源３２とについて説明する。
【００３１】
ディスク再生部１におけるサーボ制御部１４と信号処理部１５とは、５Ｖの直流出力を動作電源として動作する。このため、第１の動作電源３１には、５Ｖの直流出力が含まれている。また、第１の動作電源３１には、Ｄ／Ａ変換部１６が必要とするアナログ信号用の直流出力、表示部１７が必要とするマイナス電圧の直流出力、等のように、ディスク再生部１が必要とするその他の直流出力も含まれている。すなわち、第１の動作電源３１は、複数種の直流出力の総称となっている。
【００３２】
マイクロコンピュータ２には、動作電源としての電圧許容範囲が、３．０Ｖ〜５．５Ｖである素子が用いられている。一方、サーボ制御部１４と信号処理部１５とは、動作電源の電圧が５Ｖ系の回路となっているので、マイクロコンピュータ２との間でのデータの遣り取りには、５Ｖ系の信号を用いる。このため、サーボ制御部１４と信号処理部１５との制御が必要となるときには、マイクロコンピュータ２には５Ｖの直流出力が第２の動作電源３２として供給される。
【００３３】
一方、商用電源（一次側電源）３０が供給された状態における電源オフ状態であるスタンバイモードとなるとき、すなわち、マイクロコンピュータ２がサーボ制御部１４と信号処理部１５との制御を行う必要が無くなるときには、第２の動作電源３２の電圧は、マイクロコンピュータ２の電圧許容範囲の下限の近傍の電圧である３．３Ｖに設定される。
【００３４】
また、受光ユニット４には、動作電源としての電圧許容範囲が３．０Ｖ〜５．５Ｖであるユニットが用いられている。そして、マイクロコンピュータ２に供給される第２の動作電源３２の電圧が５Ｖとなる場合、マイクロコンピュータ２にデータを出力するには５Ｖ系の信号を用いる必要がある。また、マイクロコンピュータ２に供給される第２の動作電源３２の電圧が３．３Ｖとなる場合、マイクロコンピュータ２にデータを出力するには３．３Ｖ系の信号を用いる必要がある。このため、受光ユニット４には、第２の動作電源３２が、動作電源として供給されるようになっている。
【００３５】
つまり、スタンバイモードとなるときには、第２の動作電源３２の電圧は、マイクロコンピュータ２の電圧許容範囲と受光ユニット４の電圧許容範囲との共通範囲の下限近傍の電圧に低下するようになっている。
【００３６】
なお、スイッチング電源３は、マイクロコンピュータ２から送出される制御信号に従って、第１の動作電源３１を構成する複数の直流出力のそれぞれを所定の電圧にし、且つ、第２の動作電源３２の電圧を５Ｖにする状態（動作モードに対応した状態）と、第１の動作電源３１を構成する複数の直流出力の全てを０Ｖにし（第１の動作電源３１の出力を停止し）、且つ、第２の動作電源３２の電圧を３．３Ｖにする状態（スタンバイモードに対応した状態）とに切り換わる。また、第２の動作電源３２の電圧を５Ｖから３．３Ｖに切り換える手段としては、電圧誤差の検出対象となる直流出力を分圧するときの分圧比を切り換える方法を用いている。
【００３７】
すなわち、商用電源３０の側から第２の動作電源３２を見るとき、第２の動作電源３２の電圧を３．３Ｖとするときのスイッチング電源３の変換効率は、第２の動作電源３２の電圧を５Ｖとするときのスイッチング電源３の変換効率とほぼ同等の変換効率に維持されるようになっている。
【００３８】
上記構成からなる第１の実施形態の動作を説明する。
【００３９】
いま、動作モードの状態にあるとする。すなわち、スイッチング電源３は、第１の動作電源３１を構成する直流出力のそれぞれが所定の電圧となり、第２の動作電源３２の電圧が５Ｖとなるように、スイッチングを行っているとする。従って、マイクロコンピュータ２は、５Ｖ系の信号によって、サーボ制御部１４や信号処理部１５の動作を制御することができる。
【００４０】
この状態において、リモートコントローラ５から再生の指示を入力されると、マイクロコンピュータ２は、サーボ制御部１４と信号処理部１５とを制御することによって、ＤＶＤ１１の再生を行う。その結果、映像端子２１からは、再生されたアナログ映像信号が出力され、音声端子２２からは、再生されたアナログ音声信号が出力される。
【００４１】
そして、ＤＶＤ１１の再生が終了したことから、リモートコントローラ５の電源キー（図示を省略）が操作されると、マイクロコンピュータ２は、スイッチング電源３の動作状態を、動作モードに対応した状態からスタンバイモードに対応した状態に変更する制御を行う。従って、第１の動作電源３１を構成する直流出力の全てが０Ｖとなり、ディスク再生部１の消費電力は０になる。また、第２の動作電源３２の電圧が３．３Ｖになる。
【００４２】
上記したスタンバイモードとなるときでは、マイクロコンピュータ２に流れる電流値および受光ユニット４に流れる電流値が、第２の動作電源３２の電圧が５Ｖであるときと同一であるとみなすときにも、マイクロコンピュータ２と受光ユニット４とによって消費される電力は、第２の動作電源３２の電圧が５Ｖであるときに比すると、約６６％（３．３／５．０）に低減されることになる。従って、商用電源３０の側から見たときのスタンバイモードにおける消費電力も、同様に、約６６％に低減されることになる（改善率が３４％となる）。
【００４３】
なお、一般的には、マイクロコンピュータ２および受光ユニット４に流れる電流は、第２の動作電源３２の電圧を３．３Ｖにする場合には、５Ｖであるときに比して少なくなる。従って、第２の動作電源３２の電圧を５Ｖから３．３Ｖに低下させたときの消費電力は、５Ｖであるときの消費電力の６６％よりも少ない値（例えば、６０％）となる。従って、実質的には、３４％を超える改善率を得ることができる。
【００４４】
また、スタンバイモードにおいても、受光ユニット４とマイクロコンピュータ２とは動作が可能な状態に維持されている。従って、リモートコントローラ５の電源キーを操作すると、この操作がマイクロコンピュータ２に知らされる。その結果、マイクロコンピュータ２は、スイッチング電源３の状態を、スタンバイモードに対応した状態から動作モードに対応した状態に移行させる。すなわち、第１の動作電源３１を構成する直流出力のそれぞれが所定の電圧となり、第２の動作電源３２の電圧が５Ｖになる。従って、マイクロコンピュータ２は、５Ｖ系の信号によって、サーボ制御部１４や信号処理部１５の動作を制御することができるようになる。
【実施例２】
【００４５】
次に、本発明の第２の実施形態について説明する。
【００４６】
第２の実施形態は、電気的構成として示すときには、図１に示す構成と同一となる。また、サーボ制御部１４、信号処理部１５、Ｄ／Ａ変換部１６、表示部１７、マイクロコンピュータ２、受光ユニット４のそれぞれの機能は、第１の実施形態と同一である。但し、ディスク再生部１におけるサーボ制御部１４と信号処理部１５との動作電源の電圧は、５Ｖから３．３Ｖに変更されている。
【００４７】
このため、第１の動作電源３１には、３．３Ｖの直流出力が含まれている。また、第１の動作電源３１には、Ｄ／Ａ変換部１６が必要とするアナログ信号用の直流出力、表示部１７が必要とするマイナス電圧の直流出力、等のように、ディスク再生部１が必要とするその他の直流出力も含まれている。すなわち、第１の動作電源３１は、第１の実施形態と同様に、複数種の直流出力の総称となっている。
【００４８】
また、マイクロコンピュータ２には、動作電源としての電圧許容範囲が、３．０Ｖ〜３．６Ｖである素子が用いられている。また、受光ユニット４には、動作電源としての電圧許容範囲が、３．０Ｖ〜３．６Ｖであるユニットが用いられている。このため、サーボ制御部１４と信号処理部１５との制御が必要となるときには、マイクロコンピュータ２には３．３Ｖの直流出力が第２の動作電源３２として供給される（このときには、受光ユニット４にも、３．３Ｖの第２の動作電源３２が供給される）。
【００４９】
一方、商用電源３０が供給された状態における電源オフ状態であるスタンバイモードとなるとき、すなわち、マイクロコンピュータ２がサーボ制御部１４と信号処理部１５との制御を行う必要が無くなるときには、第２の動作電源３２の電圧は、マイクロコンピュータ２の電圧許容範囲と受光ユニット４の電圧許容範囲との共通範囲（３．０Ｖ〜３．６Ｖ）の下限の近傍の電圧である３．０５Ｖに設定される。従って、動作モードとなるときには、マイクロコンピュータ２と受光ユニット４とには、３．３Ｖである第２の動作電源３２が供給され、スタンバイモードとなるときには、３．０５Ｖである第２の動作電源３２が供給される。
【００５０】
その結果、スタンバイモードとなるときのマイクロコンピュータ２と受光ユニット４とにより消費される電力は、スタンバイモードとなるときにも、第２の動作電源３２の電圧が３．３Ｖから変化しない場合に比すると、電流値が変化しないとみなす場合であっても、約９０％となり、実質的には１０％を超える改善効果が得られることになる。
【００５１】
なお、スタンバイモードとなるときでは、第２の動作電源３２の電圧のマージンが０．０５Ｖと小さくなっている。しかし、スタンバイモード時では、スピンドルモータ１２の駆動といったような、スイッチング電源３の負荷が大きく変化するような事態が生じないので、０．０５Ｖのマージンは充分な値となり、第２の動作電源３２の電圧が電圧許容範囲外となることにより生じる誤動作の発生は防止されることになる。
【００５２】
なお、本発明は上記実施形態に限定されず、マイクロコンピュータを制御手段とするその他の任意の電子装置（例えば、テレビ受像機、ビデオカセットレコーダ、等）にも、同様に適用することができる。
【００５３】
また、一次側電源については、商用電源３０とした場合について説明したが、電池等を一次側電源に用いる装置の場合にも、同様に適用することができる。
【図面の簡単な説明】
【００５４】
【図１】本発明に係る電子装置の一実施形態であるディスク再生装置の電気的構成を示すブロック線図である。
【符号の説明】
【００５５】
１  ディスク再生部（主要回路部）
２  マイクロコンピュータ
３  スイッチング電源
４  受光ユニット
５  リモートコントローラ
３１  第１の動作電源
３２  第２の動作電源
【図１】
2005158183.tif 000003